(57)【特許請求の範囲】
【請求項１】
デジタル放送で受信した映像音声の指定された部分を再生する受信装置での映像音声の部分再生方法において、
蓄積手段への映像音声の記録時に、前記蓄積手段に映像音声の記録が行われる実時間の標準時を取得するとともに、受信したデジタル放送から同期基準時を取得して、前記標準時及び同期基準時の組を併せて記録し、前記組の標準時及び同期基準時の値を用いて、標準時による前記指定を前記同期基準時の形式に換算し、前記映像音声の指定された部分を正確に再生することを特徴とする映像音声の部分再生方法。
【請求項２】
デジタル放送で受信した映像音声の指定された部分を再生する受信装置において、
ＡＶストリームを蓄積する蓄積手段と、
ＡＶストリームをブロックに分割して前記蓄積手段に蓄積するとともに、前記蓄積手段に前記ブロックの蓄積が行われる実時間の標準時を取得し、且つ、受信したデジタル放送から同期基準時を取得して、前記標準時及び同期基準時の組を前記ブロックの付随情報として前記蓄積手段に蓄積する時間情報付加手段と
を備えることを特徴とする受信装置。
【請求項３】
さらに、前記標準時を計時する実時間時計を備え、前記時間情報付加手段が、前記同期基準時としてＳＴＣの値を取得し、前記標準時を前記実時間時計から取得することを特徴とする請求項２に記載の受信装置。
【請求項４】
前記時間情報付加手段が、前記同期基準時としてＳＴＣの値を取得し、前記標準時を、前記デジタル放送で放送される標準時情報から取得することを特徴とする請求項２に記載の受信装置。
【請求項５】
前記標準時情報がＴＯＴまたはＴＤＴであることを特徴とする請求項４に記載の受信装置。
【請求項６】
さらに、前記デジタル放送で放送されるＰＣＲに基づいて校正しながらＳＴＣを生成するＰＬＬを備え、前記時間情報付加手段が、前記ＳＴＣの値を前記ＰＬＬの出力から取得することを特徴とする請求項４または５に記載の受信装置。
【請求項７】
さらに、前記標準時を１／１００秒単位で計時する実時間時計を備え、前記時間情報付加手段が、前記ＳＴＣの値を前記デジタル放送で放送されるＰＣＲから取得し、前記標準時を前記実時間時計から取得することを特徴とする請求項２に記載の受信装置。
【請求項８】
前記実時間時計を、前記デジタル放送で放送されるＴＯＴまたはＴＤＴにより補正することを特徴とする請求項３または７に記載の受信装置。
【発明の詳細な説明】
【０００１】
【発明の属する技術分野】
本発明は、放送で送られてくる番組を一旦蓄積してから再生する受信装置において、番組の時間的な部分（シーン）を指定して再生する部分再生方法に関し、特に、指定された時間軸上の部分を正確に再生できるようにしたものである。
【０００２】
【従来の技術】
デジタル放送の時代を迎え、放送で送られてくる番組を蓄積して、必要に応じて再生する受信装置、即ちホームサーバの研究開発が鋭意進められている。ホームサーバは、蓄積された番組の先頭から最後までを順に再生するだけでなく、番組のシーンを目次から選んで視聴したり、複数のシーンの再生順序を定義するシナリオに従って映像音声を視聴する、いわゆるノンリニア視聴を実現できる。
【０００３】
ところで、我が国のデジタル放送では、国際標準規格であるＭＰＥＧ−２  Ｓｙｓｔｅｍｓに基づいて、映像や音声が一旦ＰＥＳ（Packetized Elementary Stream）パケットに分割された後、ＴＳ（Transport Stream）パケットに多重化されて伝送される。この映像と音声とは、受信側で同期して再生する必要があり、そのため、映像、音声のそれぞれのＰＥＳパケットには、復号再生処理の基準となる時間ＳＴＣ（System Time Clock）（「同期基準時」と呼ぶことにする）を示すタイムスタンプが格納されている。
【０００４】
実際の映像音声のデータに対してタイムスタンプが格納される場所は、ＰＥＳヘッダの ＰＴＳ（Presentation Time Stamp）／ＤＴＳ（Decode Time Stamp）と呼ばれるフィールドである。図１４は、ＰＥＳヘッダ内のＰＴＳ／ＤＴＳの場所を表している。
【０００５】
ＳＴＣは、２７ＭＨｚ、４２ｂｉｔの時間軸であり、番組の管理に用いられる時、分、秒の形式の標準時の時間軸とは直接関係が無い。受信装置は、ＳＴＣを発生するカウンタを具備しており、映像、音声の ＰＴＳの値がＳＴＣの値に一致した時点で、その映像、音声をユーザに提示するように受信装置が制御され、それにより映像、音声の同期が実現される。
【０００６】
また、同期基準時であるＳＴＣを、受信装置内と放送局とで同期させるために、ＰＣＲ（Program Clock Reference）と呼ばれる情報がＴＳパケットのヘッダに格納されて伝送される。図１２はＴＳパケットのデータ構造を示し、図１３は、ＴＳパケット内のＰＣＲを含むアダプテーションフィールドのデータ構造を示している。このＰＣＲは、現在のＳＴＣの値を伝えるものであり、例えば１秒間に約１０回の頻度で放送局から定期的に受信装置に伝送される。
【０００７】
受信装置内では、定期的に伝送されてくるＰＣＲに一致するようにＰＬＬ（PhaseLocked Loop）回路でカウンタの出力をリアルタイムに校正しながらＳＴＣを生成出力する。
【０００８】
図１１は、このＰＬＬ回路のブロック図である。
【０００９】
さて、受信装置に蓄積された番組に対するノンリニア視聴は、番組インデックスを用いて実現することができる。
【００１０】
番組インデックスは、日本のデジタル放送の標準規格であるＡＲＩＢ  ＳＴＤ−Ｂ１０第１．２版において規定された、放送番組の選択や検索を補助する情報を提供する放送メタデータである。この番組インデックスはＥＲＴ（Event Relation Table）とＬＩＴ（Localevent Information Table）というデータ構造であり、ＭＰＥＧ−２  Ｓｙｓｔｅｍｓで規定されるセクション形式の情報（以後、セクション情報と呼ぶ）として繰り返し放送される。
【００１１】
番組インデックスは、放送で送られる映像音声を含む番組に対し、番組の時間的な一部分であるシーンを定義し（ＬＩＴ）、シーン同士の関係を定義する（ＥＲＴ）ことができる。シーンは、番組中におけるシーンの開始時間（start time）と持続時間（duration）とにより定義される。この番組管理のための時間は、時、分、秒の形式の標準時などが用いられる。
【００１２】
しかし、デジタル放送における映像・音声は、国際標準規格であるＭＰＥＧ−２  ＶｉｄｅｏやＭＰＥＧ−１  Ａｕｄｉｏなどの圧縮された形式で伝送されるため、放送により伝送される映像音声の伝送形式と、再生結果の映像音声との間には不定長の遅延が生じる。このため、放送により伝送される映像音声の伝送形式上で、例えばフレーム精度（静止画フレーム間隔の精度、日本の場合約１／３０秒）の時間精度でシーンの場所を決定することは容易ではない。従って、番組インデックスのＬＩＴによるシーン定義はミリ秒精度で記述できるものの、受信装置のシーンの再生においては秒程度の精度保証しかすることができない場合も想定できる。
【００１３】
そこで、番組インデックスでは、シーンの再生を高い時間精度で行なうためにＩＴＴ（Index Transmision Table：番組インデックス送出情報テーブル）というセクション情報を定義している。
【００１４】
このＩＴＴは、その中に、標準時による時間軸とＳＴＣによる時間軸とを関連付ける情報を含んでおり、例えば、番組の開始時刻に該当するＳＴＣの値がＩＴＴにより伝送される。ＳＴＣの値は２７，０００，０００分の１秒毎に１ずつ増加するので、このＩＴＴの情報を基に、番組に含まれる任意の時刻を、２つの時間軸の間で相互に換算することが可能となる。
【００１５】
図１５は、ＩＴＴのデータ構造を表した図である。図１５の番組インデックス送出情報セクションのdescriptor（矢印）として、図１６に示すＳＴＣ参照記述子が格納され、このＳＴＣ参照記述子において、秒及びミリ秒とＳＴＣとの対応関係（矢印）が記述される。
【００１６】
図１７は、ＩＴＴの情報を用いて番組のシーンの再生を精密に行う例を説明している。番組インデックスには、番組の先頭が標準時により20:00'00"00（午後８時ちょうど）と定義され、また、あるシーンが、番組先頭を基準にした相対時刻で17'15"00〜17'31"00と定義されている。ＩＴＴにより、番組の先頭の20:00'00"00に対応するＳＴＣの値（ＳＴＣ0）が与えられると、シーンの開始時刻をＴｓ（＝17'15"00）、シーンの終了時刻をＴe（＝17'31"00）とした場合、シーン開始のＳＴＣ（＝ＳＴＣs）は、
ＳＴＣs＝ＳＴＣ0＋Ｔs×２７×１０6
によって求めることができ、また、シーン終了のＳＴＣ（＝ＳＴＣe）は、
ＳＴＣe＝ＳＴＣ0＋Ｔe×２７×１０6
によって求めることができる。
【００１７】
このように、番組インデックスにおいて標準時で記述されているシーンの開始・終了時刻は、ＩＴＴの情報を用いることによって、ＳＴＣの時間軸の値に換算することが可能になり、伝送形式のデータ上での正確な再生場所を特定することができる。
【００１８】
受信装置は、換算した値ＳＴＣs及びＳＴＣeとＰＥＳパケットのＰＴＳとを比較し、ＰＴＳがＳＴＣsに一致する映像・音声から再生を開始し、ＰＴＳがＳＴＣeに一致するところで再生を停止する。こうして、ＩＴＴによる精密時刻指定の方式を適用することにより、受信装置では、例えばフレーム精度でシーンの再生を行なうことが可能になる。ただし、ＰＴＳが十分な頻度で出現しない場合には別途ＰＴＳの補間の処理が必要になる場合もある。
【００１９】
図９は、従来の受信装置（ホームサーバ）のブロック図を示している。この装置は、アンテナから成る受信手段000と、受信信号を復調する復調器001と、受信信号からＡＶストリーム、ＰＣＲ、及びセクション情報を取り出すＴＳプロセッサ002と、ＰＣＲを基にＳＴＣを生成するＰＬＬ003と、ＡＶストリームが蓄積される、ハードディスクから成る蓄積手段006と、圧縮符号化されているＡＶデータを伸長復号化するデコーダ004と、映像・音声を提示（表示と発音）する提示手段005と、装置全体の動作を制御するＣＰＵ007と、セクション情報などを記憶するメモリ008とを備えている。
【００２０】
この受信装置では、復調器001で復調された受信信号がＬＳＩから成るＴＳプロセッサ002に入力し、ＴＳプロセッサ002は、受信信号からＡＶストリーム、ＰＣＲ及びセクション情報を取り出す。セクション情報には、番組インデックスやＩＴＴなどが含まれる。
【００２１】
ＰＣＲが入力するＰＬＬ003は、図１１の構成を備えており、ＰＣＲによって校正したＳＴＣを出力する。ＴＳプロセッサ002で分離されたＡＶストリームは、蓄積手段006に蓄積される。また、リアルタイム視聴の際は、ＡＶストリームがデコーダ004に入力し、デコーダ004は、ＰＥＳのＰＴＳがＳＴＣに一致する映像・音声データを復号化し、それにより映像・音声が同期して提示手段005から表示される。また、ＴＳプロセッサ002で取り出された番組インデックスやＩＴＴの情報は蓄積手段006に蓄積される。
【００２２】
図１０には、この受信装置でノンリニア視聴する場合の動作を示している。図１０（ａ）は、録画時の動作手順を示しており、
ステップ１：ユーザがＥＰＧ（電子番組表）から蓄積したい番組を指定すると、ＣＰＵ007の制御の下に、
ステップ２：番組のオンエア開始を待って、
ステップ３：その番組のＡＶストリームが受信され、蓄積手段006への格納が開始される。
ステップ４：セクション情報に新しいＩＴＴがあれば取得してメモリ008に記録し、
ステップ５：ＡＶストリームの受信と蓄積手段006への格納とを継続し、
ステップ６：番組のオンエアが終了するまで、それが繰り返される。
【００２３】
図１０（ｂ）は、受信装置で番組の特定のシーンを視聴する場合の動作について示している。
【００２４】
ステップ11：ユーザが、番組インデックスに基づくシーン一覧表示から、視聴したいシーンを指定すると、
ステップ12：ＣＰＵ007は、メモリ008からＩＴＴの情報を読み出して、指定されたシーンの開始時刻をＩＴＴによりＳＴＣの時間軸に変換し、
ステップ13：また、指定されたシーンの終了時刻をＩＴＴによりＳＴＣの時間軸に変換する。
【００２５】
ステップ14：蓄積手段006に蓄積されたＡＶストリームから、シーン開始時刻のＳＴＣに対応する場所を検索し、
ステップ15：検索した場所からのＡＶストリームの再生をデコーダ004に指示し、
ステップ16：デコーダ004は、ＡＶデータの再生処理を行い、
ステップ17：終了時刻まで再生を続ける。
【００２６】
このように、ＩＴＴを用いることにより、高い精度でシーンを再生することが可能になる。
【００２７】
【発明が解決しようとする課題】
しかし、従来のシーン再生方法では、ＩＴＴの情報が存在しない場合に、シーンを高精度に再生することができなくなる。ＩＴＴが存在しない状況としては、以下の様な場合が想定できる。
・ＩＴＴを送出しない番組を蓄積の対象とした場合。
・番組は開始しているものの、まだ、放送局からＩＴＴが送られてきていない場合。
・ザッピング視聴（チャンネルを頻繁に切り換える視聴）や降雨による電波の減衰などのためにＩＴＴの受信に失敗した場合。
【００２８】
ＩＴＴが存在しない状態でシーンを再生するには、番組インデックスに示されている標準時を基準にシーンを特定しなければならないが、伝送遅延などが存在するため、その標準時にそのシーンが受信装置に受信されていたかどうかは不確かであり、また、ＡＶストリームの受信から蓄積までの時間は受信装置の性能によってまちまちである。そのため、標準時を単純に用いるだけではシーンを高精度に特定することは不可能である。その結果、再生したシーンの冒頭や末尾に前後のシーンの映像や音声が混入したり、指定したシーンの映像や音声の一部が欠けたりして、視聴者に違和感や不快感を与えることになる。
【００２９】
本発明は、こうした従来の問題点を解決するものであり、ＩＴＴが存在していない状況においても、ＩＴＴが存在する場合に比較的近い時間精度でシーンの再生を実現することができる映像音声の部分再生方法と、その方法を実施する受信装置とを提供することを目的としている。
【課題を解決するための手段】
本発明は、デジタル放送で受信した映像音声の指定された部分を再生する受信装置での映像音声の部分再生方法において、蓄積手段への映像音声の記録時に、前記蓄積手段に映像音声の記録が行われる実時間の標準時を取得するとともに、受信したデジタル放送から同期基準時を取得して、前記標準時及び同期基準時の組を併せて記録し、この組の標準時及び同期基準時の値を用いて、標準時による前記指定を同期基準時の形式に換算し、映像音声の指定された部分を正確に再生することを特徴とする。
【００３０】
また、本発明は、デジタル放送で受信した映像音声の指定された部分を再生する受信装置において、ＡＶストリームを蓄積する蓄積手段と、ＡＶストリームをブロックに分割して蓄積手段に蓄積するとともに、前記蓄積手段に前記ブロックの蓄積が行われる実時間の標準時を取得し、且つ、受信したデジタル放送から同期基準時を取得して、前記標準時及び同期基準時の組を各ブロックの付随情報として蓄積手段に蓄積する時間情報付加手段とを備えることを特徴とする。
【００３１】
そのため、蓄積された組の標準時及び同期基準時の値を比較することによって、ＩＴＴに格納される情報に相当する値を受信装置内で疑似的に生成することができ、この値をＩＴＴの情報の代わりに用いることによって、高い精度でシーンの再生を実現できる。
【００３２】
【発明の実施の形態】
（第１の実施形態）
第１の実施形態における受信装置は、図１に示すように、アンテナから成る受信手段000と、受信信号をデジタル信号に変換する復調器001と、受信信号からＡＶストリーム、ＰＣＲ、及びセクション情報を分離して取り出すＴＳプロセッサ002と、ＰＣＲを基にＳＴＣを生成するＰＬＬ003と、ＡＶストリームが蓄積される蓄積手段006と、圧縮符号化されているＡＶデータを伸長復号化するデコーダ004と、映像・音声を提示（表示、発音）する提示手段005と、装置全体の動作を制御するＣＰＵ007と、セクション情報などを記憶するメモリ008と、標準時を計時する実時間時計402と、ＡＶストリームをブロックに分割し、これに時間情報を付加する時間情報付加手段501とを備えている。
【００３３】
この装置の実時間時計402は、秒単位の表示が可能である。
また、時間情報付加手段501には、ＴＳプロセッサ002で取り出されたＡＶストリームと、ＰＬＬ003から出力されるＳＴＣの値と、実時間時計402から出力される標準時とが入力し、時間情報付加手段501は、入力するＡＶストリームを、蓄積手段006の格納に適したブロック（例えば、ＰＥＳ単位）に分割するとともに、このブロックに、実時間時計402から入力した標準時とＰＬＬ003から入力したＳＴＣの値との組を付随情報として付加し、蓄積手段006に格納する。
【００３４】
図２には、ＡＶストリームがブロックに分割され、各ブロックに標準時とＳＴＣとの組から成る付随情報が付加されて蓄積手段006に格納される過程を模式的に示している。ここでは、ＡＶブロックと付随情報とを結合して示しているが、蓄積手段006では、この付随情報をＡＶブロックとは別に管理しても良い。
【００３５】
また、図４は、ＡＶストリームのブロックに付加される標準時とＳＴＣとの関係を示している。ＰＬＬ003は、図１１の構成を具備し、例えば１秒間に１０回の頻度で入力するＰＣＲによって校正しながら、２７，０００，０００分の１秒毎に１ずつ増加するＳＴＣを生成しており、このＳＴＣが時間情報付加手段501に入力する。一方、実時間時計402からは、秒単位で更新される標準時時刻が時間情報付加手段501に入力する。
【００３６】
そのため、図４の例で、標準時が20:32'48から20:32'49に変化した時点で分割されたＡＶブロックには、その時点t1でＰＬＬ003から出力されたＳＴＣの値（ＳＴＣ_t1）と標準時20:32'49との組が付随情報として記録される。標準時が20:32'50に変わる前に次のＡＶブロックの分割が行われた場合には、付随情報におけるＳＴＣの値は更新されるが、標準時は20:32'49のままとなる。
【００３７】
蓄積したＡＶストリームを再生する場合に、ＣＰＵ007は、ＡＶブロックの付随情報から、標準時時刻が更新された初めての付随情報を検索し、その付随情報の標準時時刻とＳＴＣの値との関係からＩＴＴを疑似生成する。そして、ユーザが番組のシーンの再生を指定した場合に、この疑似ＩＴＴを用いて、再生する部分をＰＴＳにより特定する。
【００３８】
図３（ａ）は、この装置において、番組を蓄積する場合の動作について示している。
【００３９】
ステップ１：ユーザがＥＰＧ（電子番組表）から蓄積したい番組を指定すると、ＣＰＵ007の制御の下に、
ステップ２：番組のオンエア開始を待って、
ステップ３：その番組のＡＶストリームが受信され、蓄積手段006への格納が開始される。
ステップ701：時間情報付加手段501は、ＳＴＣと標準時時刻との組を取得し、ＡＶストリームのブロックにリンクさせて蓄積手段006に蓄積する。
【００４０】
ステップ５：ＡＶストリームの受信と蓄積手段006への格納とが継続され、
ステップ６：番組のオンエア終了まで、ステップ701〜ステップ005が繰り返される。
【００４１】
ステップ702：ＣＰＵ007は、ＡＶストリームの再生時に、蓄積手段006に蓄積されたＳＴＣと標準時時刻との組を取得し、疑似ＩＴＴを生成する。
【００４２】
ステップ702での疑似ＩＴＴの生成は、図３（ｂ）に示す手順で行われる。
【００４３】
ステップ711：蓄積手段006から、ＳＴＣと標準時時刻との組のデータを読み込み、
ステップ712：標準時時刻が次の値に変化している組を検索する。標準時時刻が次の値に変化している組を得たときは、
ステップ713：その組のＳＴＣの値と標準時時刻の値とからＩＴＴを疑似生成する。
【００４４】
この組のＳＴＣの値が（ＳＴＣ_t1）であり、標準時時刻が（Ｔt1）である場合には、番組の開始時刻をＴ0（この番組開始の標準時時刻は電子番組表や番組インデックスから把握することができる。）とすると、番組開始時刻Ｔ0に対応するＳＴＣの値ＳＴＣ0を次式により求める。ただし、各標準時時刻は秒を単位として記述されるものとする。
【００４５】
ＳＴＣ0＝（ＳＴＣ_t1）−（Ｔt1−Ｔ0）×２７×１０6
このように、蓄積するＡＶストリームのブロックに付随させて標準時時刻とＳＴＣとの組を記録し、この組の情報から疑似ＩＴＴを生成することにより、ＩＴＴが存在しない場合でも、映像音声ストリームの中の再生する部分をＰＴＳによって特定することが可能になり、フレーム精度に近い精度でシーンを特定して再生することができる。
【００４６】
また、分割したＡＶブロックのそれぞれに付随情報を付加した場合には、記録媒体のどこから再生を開始しても、疑似ＩＴＴの生成が可能になる。
【００４７】
なお、標準時時刻とＳＴＣとの組の情報から疑似ＩＴＴを生成する時期は、ＡＶストリームの再生時以外であっても良い。
【００４８】
（第２の実施形態）
第２の実施形態では、付随情報にＰＣＲと標準時時刻との組を記録する場合について説明する。
【００４９】
この受信装置は、図５に示すように、１／１００秒の分解能で出力が可能な実時間時計102と、ＴＳプロセッサ002から出力されるＡＶストリーム及びＰＣＲ並びに実時間時計102から出力される標準時が入力する時間情報付加手段101とを具備している。その他の構成は第１の実施形態と変わりがない。
【００５０】
時間情報付加手段101には、ＴＳプロセッサ002で取り出されたＡＶストリーム及びＰＣＲと、実時間時計102から出力される標準時とが入力し、時間情報付加手段101は、入力するＡＶストリームを、蓄積手段006の格納に適したブロック（例えば、ＰＥＳ単位）に分割するとともに、このブロックに、実時間時計102から入力した１／１００秒単位の標準時時刻とＴＳプロセッサ002から入力したＰＣＲ（このＰＣＲにはＳＴＣの値が含まれている）との組を付随情報として付加し、蓄積手段006に格納する。
【００５１】
図７は、ＡＶストリームのブロックに付加される標準時とＰＣＲとの関係を示している。ＰＣＲは例えば１秒間に１０回の頻度で時間情報付加手段101に入力し、一方、実時間時計102からは、１／１００秒単位で値が更新される標準時時刻が時間情報付加手段501に入力する。ＡＶブロックの分割がＰＣＲの入力時点で行われた場合には、そのブロックの付随情報にＰＣＲと１／１００秒単位の標準時時刻との組が記録される。しかし、ＡＶブロックの分割時点にＰＣＲが入力しなかった場合には、その付随情報にＰＣＲは含まれず、標準時時刻だけが含まれる。
【００５２】
この装置において、番組を蓄積する場合の動作は、図３（ａ）の手順と変わりがない。ただ、ステップ702における疑似ＩＴＴの生成は、図６に示す手順で行われる。
【００５３】
ステップ711：蓄積手段006から、付随情報のデータを読み込み、
ステップ721：ＰＣＲを含む付随情報の組を発見した場合には、
ステップ722：そのＰＣＲに含まれるＳＴＣの値と１／１００秒単位の標準時時刻の値とからＩＴＴを疑似生成する。
【００５４】
ＳＴＣ0の計算方法は第１の実施形態と変わりがない。
【００５５】
このように、ＩＴＴが存在しない場合でも、ＰＣＲと標準時時刻とを組にして記録することにより、ＰＣＲが到着した時点の標準時時刻から疑似ＩＴＴを生成することができ、第１の実施形態と同様、映像音声ストリームの中の再生する部分をＰＴＳによって特定することが可能になる。
【００５６】
（第３の実施形態）
第３の実施形態では、標準時時刻を放送を通じて取得する場合について説明する。
【００５７】
デジタル放送では、現在の時間（年、月、日、時、分、秒）を秒精度で表示するＴＤＴ（Time and Data Table）やＴＯＴ（Time Offset Table）が、番組を参照する際の基準時計として、番組に多重されて送信される。このＴＤＴ及びＴＯＴの規格はＡＲＩＢ  ＳＴＤ−Ｂ１０により規定されている。
【００５８】
この実施形態の受信装置では、放送されるこれらの標準時情報を用いて、標準時時刻とＳＴＣとの組を記録する。
【００５９】
この受信装置は、図８に示すように、受信信号からＡＶストリーム、ＰＣＲ、セクション情報及び標準時情報を取り出すＴＳプロセッサ002と、ＡＶストリームをブロックに分割し、これにＳＴＣと標準時情報との組から成る付随情報を付加する時間情報付加手段801とを備えている。この装置では、標準時情報を受信信号から得ているため、実時間時計を必要としない。その他の構成は第１の実施形態（図１）と変わりがない。
【００６０】
この受信装置の動作は図３（ａ）（ｂ）と同じあり、時間情報付加手段801は、ＴＳプロセッサ002から入力する標準時情報を、第１の実施形態における実時間時計から入力する標準時と同じように用いて、ＡＶブロックの付随情報を生成する。また、ＣＰＵ007は、この付随情報から第１の実施形態と同じように疑似ＩＴＴを生成する。
【００６１】
この受信装置の場合、実時間時計が不要になり、構成を簡略化することができる。
【００６２】
また、このＴＤＴやＴＯＴの情報は、第１及び第２の実施形態の実時間時計を補正するために使用することもできる。
【００６３】
【発明の効果】
以上の説明から明らかなように、本発明によれば、番組インデックスにより高い時間精度でシーンの再生を実現するための情報であるＩＴＴが受信装置に存在しない場合でも、ＩＴＴが存在している場合と比較的近い精度でシーンの再生を実現することができる。
【図面の簡単な説明】
【図１】第１の実施形態における受信装置の構成を示すブロック図、
【図２】分割されたＡＶストリームのブロックと付随情報とを示す模式図、
【図３】第１の実施形態における受信装置の動作を示すフロー図（ａ）と、疑似ＩＴＴ生成の動作を示すフロー図（ｂ）、
【図４】第１の実施形態の付随情報における標準時時刻とＳＴＣとの関係を示す図、
【図５】第２の実施形態における受信装置の構成を示すブロック図、
【図６】第２の実施形態における疑似ＩＴＴ生成の動作を示すフロー図、
【図７】第２の実施形態の付随情報における標準時時刻とＰＣＲとの関係を示す図、
【図８】第３の実施形態における受信装置の構成を示すブロック図、
【図９】従来の受信装置の構成を示すブロック図、
【図１０】従来の受信装置による番組蓄積動作（ａ）と、シーン再生動作（ｂ）を示すフロー図、
【図１１】ＰＬＬ回路のブロック図、
【図１２】ＴＳパケットのデータ構造を示す図、
【図１３】ＴＳパケットのＰＣＲが格納されるアダプテーションフィールドのデータ構造を示す図、
【図１４】ＰＴＳ／ＤＴＳの格納場所を示すＰＥＳヘッダのデータ構造を示す図、
【図１５】ＩＴＴのデータ構造を示す図、
【図１６】ＳＴＣ参照記述子のデータ構造を示す図、
【図１７】ＩＴＴによる精密時刻指定の一例を示す図である。
【符号の説明】
000  受信手段
001  復調器
002  ＴＳプロセッサ
003  ＰＬＬ
004  デコーダ
005  提示手段
006  蓄積手段
007  ＣＰＵ
008  メモリ
101、501、801  時間情報付加手段
102、402  実時間時計
【図１】
0004197078.tif 000002
【図２】
0004197078.tif 000003
【図３】
0004197078.tif 000004
【図４】
0004197078.tif 000005
【図５】
0004197078.tif 000006
【図６】
0004197078.tif 000007
【図７】
0004197078.tif 000008
【図８】
0004197078.tif 000009
【図９】
0004197078.tif 000010
【図１０】
0004197078.tif 000011
【図１１】
0004197078.tif 000012
【図１２】
0004197078.tif 000013
【図１３】
0004197078.tif 000014
【図１４】
0004197078.tif 000015
【図１５】
0004197078.tif 000016
【図１６】
0004197078.tif 000017
【図１７】
0004197078.tif 000018